(57)【特許請求の範囲】
【請求項１】
縦横方向および厚さ方向の少なくとも一方向に複数組合わされて用いられることが可能である、照明の光の指向性をコントロールする照明用ルーバーユニットであって、
照明の光の指向性をコントロールするための複数のフィンと、
縦横方向および厚さ方向の少なくとも一方向に複数組み合わされるときに、それぞれの照明用ルーバーユニットが整列するように位置決めを行なうための位置決め部材として、位置決めピンとそれに係合する位置決め穴、および位置決め凸部とそれに係合する位置決め凹部とを備え、
前記位置決めピンと前記位置決め穴とは、照明方向に向く面のうちの一方の面に、対応する位置であって、それぞれが点対称とならない位置に設けられる、照明用ルーバーユニット。
【請求項２】
前記位置決めピンと前記位置決め穴とは、当該照明用ルーバーユニットと同形状の他の照明用ルーバーユニットを双方の前記一方の面をあわせて重ねたときに、それぞれ、前記他の照明用ルーバーユニットの前記位置決め穴と前記位置決めピンとの位置に対応した位置に設けられる、請求項１に記載の照明用ルーバーユニット。
【請求項３】
前記照明方向の向く面は矩形であって、その長手方向の二辺のそれぞれを二等分する点を通って前記長手方向の辺に平行する線に対して対称な位置に前記位置決めピンと前記位置決め穴とが設けられる、請求項１または２に記載の照明用ルーバーユニット。
【請求項４】
前記照明方向の向く面は矩形であって、その短手方向の二辺のそれぞれを二等分する点を通って前記短手方向の辺に平行する線に対して対称な位置に少なくとも一組の前記位置決めピンおよび少なくとも一組の前記位置決め穴が設けられる、請求項１〜３のいずれかに記載の照明用ルーバーユニット。
【発明の詳細な説明】
【技術分野】
【０００１】
この発明は照明用ルーバーユニットに関し、特に写真撮影装置の光源に用いられる照明用ルーバーユニットに関する。
【背景技術】
【０００２】
近年、ゲームセンター等の遊戯を提供する店舗において、写真を撮影してシールプリント等にする写真シール作成装置が数多く設置されている。このような写真シール作成装置には、一般に、被写体である利用者を写真シール作成装置に付属のカメラで撮影した画像を、タブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
写真シール作成装置は被写体である利用者の写り具合を美しく保つために、ストロボや蛍光灯などが用いられた照明装置が配備される。写真シール作成装置の照明装置は、照明装置を配置する位置や用途に応じて各種の工夫がなされている。例えば、主に被写体の頭部（髪など）を照射するための照明装置は、上記ストロボや蛍光灯などの光源から出射する光を拡散せずに直進させる方が、髪をより美しく写すことができる。このため、頭部用の照明装置には照明用ルーバーを配備し平行光を実現していることが多い。
【０００４】
特許文献１には、ルーバー部材およびランナー部材の一側縁に長手方向に直交する複数個のスリットを格子幅Ｌのピッチで等間隔に設け、ルーバー部材の両端部の２つのスリットとランナー部材のスリットの深さをルーバー部材の幅の半分とし、ルーバー部材の他のスリットの深さをルーバー部材の幅の半分より僅かに浅くし、縦横のルーバー部材をスリットを対向させて係合し、スリット先端部をかしめて上下面を同一面とした格子ユニットを形成し、天井部に平行に取付けたランナー部材格子ユニットの両側の突出部を係合させてなる構成とした天井格子ルーバーが開示されている。
【特許文献１】特開平９−１３５７２号公報
【発明の開示】
【発明が解決しようとする課題】
【０００５】
写真シール作成装置は、製品毎に異なる照明設計を行うため、開発する度に照明用ルーバーを設計し製作している。また、写真シール作成装置の開発段階では、より美しい写り具合を実現するために、適宜照明装置の設計変更が行なわれる。しかしながら、写真シール作成装置を開発する度、又は設計変更を行なう度に照明用ルーバーの大きさや形を設計し製作することはコスト面での負担が大きいという問題があった。また、前に製作された照明用ルーバーは異なる大きさや異なる形の照明装置には取り付けることができないため、ほとんどが再利用できないという問題もあった。
【０００６】
また、特許文献１に開示されている技術では、ルーバー部材を１つ１つ組み合わせて格子ユニットとして組立てる必要があり、大きな照明装置に取り付ける場合に、組立てが煩わしく時間がかかるという問題があった。
【０００７】
この発明は上記問題点を解決するためになされたものであり、汎用性の高い照明用ルーバーを提供することを目的としている。
【課題を解決するための手段】
【０００８】
上記目的を達成するためこの発明のある局面に従うと、照明用ルーバーユニットは、縦横方向および厚さ方向の少なくとも一方向に複数組合わされて用いられることが可能である、照明の光の指向性をコントロールする照明用ルーバーユニットであって、照明の光の指向性をコントロールするための複数のフィンと、縦横方向および厚さ方向の少なくとも一方向に複数組み合わされるときに、それぞれの照明用ルーバーユニットが整列するように位置決めを行なうための位置決め部材として、位置決めピンとそれに係合する位置決め穴、および位置決め凸部とそれに係合する位置決め凹部とを備え、位置決めピンと位置決め穴とは、照明方向に向く面のうちの一方の面に、対応する位置であって、それぞれが点対称とならない位置に設けられる。
【０００９】
好ましくは前記位置決め部材は、位置決めピンとそれに係合する位置決め穴、および位置決め凸部とそれに係合する位置決め凹部の少なくとも１つから構成される。
【００１０】
好ましくは前記位置決めピンとそれに係合する位置決め穴は、照明用ルーバーユニットの片面にのみ設けられる。
【００１１】
好ましくは２つの照明用ルーバーユニットの重ね方は１つとなるように、前記位置決めピンとそれに係合する位置決め穴は設けられている。
好ましくは、位置決めピンと前記位置決め穴とは、当該照明用ルーバーユニットと同形状の他の照明用ルーバーユニットを双方の一方の面をあわせて重ねたときに、それぞれ、他の照明用ルーバーユニットの位置決め穴と位置決めピンとの位置に対応した位置に設けられる。
好ましくは、照明方向の向く面は矩形であって、その長手方向の二辺のそれぞれを二等分する点を通って長手方向の辺に平行する線に対して対称な位置に位置決めピンと位置決め穴とが設けられる。
好ましくは、照明方向の向く面は矩形であって、その短手方向の二辺のそれぞれを二等分する点を通って短手方向の辺に平行する線に対して対称な位置に少なくとも一組の位置決めピンおよび少なくとも一組の位置決め穴が設けられる。
【発明の効果】
【００１２】
これらの発明に従うと、照明用ルーバーユニットは、縦横方向および厚さ方向の少なくとも一方向に複数組合わされて用いられることが可能であり、縦横方向および厚さ方向の少なくとも一方向に複数組み合わされるときに、それぞれの照明用ルーバーユニットが整列するように位置決めを行なうための位置決め部材を備えている。これにより、汎用性の高い照明用ルーバーを提供することが可能となる。
【発明を実施するための最良の形態】
【００１３】
図１は、本発明の実施の形態の１つにおける照明用ルーバーを備えた照明ボックスが用いられる写真シール作成装置の斜視図であり、図２は、写真シール作成装置の撮影空間２の被写体が位置する場所の後背面を示す図である。
【００１４】
照明ボックス５００は、図１が図示するような撮影装置２や撮影空間３を備えた写真シール作成装置１において利用者に対する照明を行なうための照明装置として用いられる。写真シール作成装置においてルーバー１００が取り付けられる照明装置５００は、とくに被写体の頭部（髪）を美しく撮影するために、例えば図２が示すように、写真シール作成装置の撮影空間３の被写体が位置する場所の後背面の上方部分やサイド部分、又は撮影空間の側面の上方部分に備えられる。もちろんルーバー１００が取り付けられる照明装置５００は上記のように被写体の頭部（髪）を美しく撮影するための照明装置に限定するものではなく、平行光を出射するなどのように光の指向性をコントロールすることが要求されるような照明装置であればよい。
【００１５】
図３は、本発明の実施の形態の１つにおける照明用ルーバーを備えた照明ボックスの分解斜視図である。
【００１６】
図３を参照して、照明ボックスはストロボ６００を内蔵する照明ボックス本体５００と、複数の照明用ルーバーユニットから構成されるルーバー１００と、ルーバー１００を挟む、透明アクリル板２００および乳白色アクリル板３００と、透明アクリル板２００とルーバー１００と乳白色アクリル３００とを一体的に安定して固定させるための固定金具４００とを備えている。また、固定金具４００によって、上記透明アクリル板２００とルーバー１００と乳白色アクリル３００とを、照明ボックス本体５００に固定して取り付けることができるようにしてもよい。
【００１７】
本実施の形態では、ルーバー１００は複数の照明用ルーバーユニットから構成されている。照明用ルーバーユニットは、縦横方向および厚さ方向の少なくとも一方向に複数組合わされて用いられることが可能であり、照明の光の指向性をコントロールする。ここでは８個の照明用ルーバーユニットにより、ルーバー１００は構成されるものとする。すなわち縦横方向に組み合わされた４つの照明用ルーバーユニットの組が、厚さ方向に２組組み合わされている。
【００１８】
図４は、１つの照明用ルーバーユニットの斜視図である。また、図５は正面図、図６は背面図、図７は左側面図、図８は右側面図、図９は平面図、図１０は底面図、図１１は図５のＡ−Ａ断面図である。
【００１９】
照明用ルーバーユニットは、照明用器具の光源から照射される光に指向性を与える。
照明用ルーバーユニットには、照明の光の指向性をコントロールするための複数のフィン１０１が格子状に配列されている。所定のフィンの交差領域には、対角線上に、一対の位置決めピン１１３，１１７および一対の位置決め穴１１５，１１９が設けられている。
【００２０】
また、複数のフィンを取り巻く周辺リブ１０３は、その高さがフィンの半分程度に設けられる。周辺リブ１０３の中央領域には、位置決め凸部１０５，１０７および位置決め凹部１０９，１１１が設けられている。
【００２１】
その使用状態においては、照明用ルーバーユニットは複数組み合わせて用いることが好適である。
【００２２】
図１２は、照明用ルーバーユニット１００ａ，１００ｂを厚さ方向に重ねた状態を示す図である。
【００２３】
厚さ方向に重ねた状態においては、一方側の照明ルーバーユニットの一対の位置決めピン１１３、１１７が、他方の照明ルーバーユニットの位置決め穴１１５、１１９に挿入されるように照明用ルーバーユニットが配置される。これにより、厚さ方向に２つの照明用ルーバーユニットを重ね合わせ整列させるための位置決めが可能となるとともに、照明用ルーバーユニットを固定しやすくすることもできる。またその結果、フィン１０１の高さを容易に２倍にすることができる。
【００２４】
図１３は、照明用ルーバーユニットを横方向に接いだ状態を示す図である。
横方向に接いだ状態においては、一方側の照明用ルーバーユニットと、他方の照明用ルーバーユニットとの位置決め凹部１０９と位置決め凸部１０５とが組合わされる。これにより、横方向に２つの照明用ルーバーユニットを接いで整列させるための位置決めが可能となるとともに、照明用ルーバーユニットを固定しやすくすることもできる。またその結果、ルーバーの面積を容易に２倍にすることができる。
【００２５】
図１４は、照明用ルーバーユニットを縦横方向に接いだ状態を示す図である。
４つの照明用ルーバーユニットの位置決め凸部１０５、１０７と位置決め凹部１０９、１１１とを相互に重ね合わせるようにして、４つの照明用ルーバーユニットを接ぎ合せる事が可能となる。これにより、縦横方向に４つの照明ルーバーユニットを接ぎ合わせて整列させるための位置決めが容易になるとともに、照明用ルーバーユニットを固定しやすくすることもできる。またその結果、ルーバーの面積を容易に４倍にすることができる。また、照明用ルーバーユニットのすべての辺で接ぎ合わせが可能となるため、ルーバーの面積をより広くすることができる。
【００２６】
図１５は、照明用ルーバーユニット１００ａ〜１００ｄを厚さ方向に重ね、さらに縦方向にも接いだ状態を示す図である。
【００２７】
厚さ方向に重ねた状態においては、一方側の照明用ルーバーユニット１００ａの一対の位置決めピン１１３ａ、１１７ａが、他方の照明用ルーバーユニット１００ｂの位置決め穴１１５ｂ、１１９ｂに挿入されるように照明用ルーバーユニットが配置される。さらに、上記と同様に照明用ルーバーユニット１００ｃ、１００ｄを厚さ方向に重ねる。そして厚さ方向に重ねた照明用ルーバーユニット１００ａ〜１００ｂと、照明用ルーバーユニット１００ｃ〜１００ｄとを、縦方向に接ぐ。具体的には、照明用ルーバーユニット１００ａの位置決め凸部１０７ａと照明用ルーバーユニット１００ｃの位置決め凹部１１１ｃとを相互に重ねあわせ、照明用ルーバーユニット１００ｂの位置決め凸部１０７ｂと照明用ルーバーユニット１００ｄの位置決め凹部１１１ｄとを相互に重ねあわせ、縦方向に接ぐ。
【００２８】
これにより、縦方向及び厚さ方向に４つの照明用ルーバーユニットを接ぎ合わせて整列させるための位置決めが可能になるとともに、照明用ルーバーユニットを固定しやすくすることもできる。またその結果、フィン１０１の高さを容易に２倍にするとともに、ルーバーの面積も容易に２倍にすることができる。
【００２９】
このように本実施の形態によると、複数の照明用ルーバーユニットを組み合わせて用いることで、厚さ方向に重ね合わせたり、縦横方向接ぎ合わせたりすることによって照明用ルーバーユニットの形態を変更することができるので、様々な形態の照明用ルーバーを得ることが可能となる。また、照明用ルーバーユニットを製造するときに、１種類の型を製造するだけで足りるので、コストを低減することができる。また、重ね合わせ方や接ぎ方で照明用ルーバーを容易に様々な形態に変更することができるため、照明設計変更時にも照明用ルーバーが再利用でき、コストを低減することができる。さらに、位置決めピン、位置決め穴、位置決め凸部、位置決め凹部を照明用ルーバーに備えることによって、照明用ルーバーの位置決めが容易なため、短時間で簡単に照明用ルーバーを組立てることができる。
【００３０】
なお、本実施の形態においては照明用ルーバーユニットの片面にのみ位置決めピン１１３，１１７および位置決め穴１１５，１１９を設けることとしたが、両面に設けることにより３段以上に照明用ルーバーユニットを重ね合わせることができるようにしてもよい。
【００３１】
ただし、このように両面に位置決めピンを設ける構成を採用すると、組立てる際に他の照明用ルーバーユニットと係合しない面から位置決めピンが突出することになる。
【００３２】
図１６は、両面に位置決めピンを設ける構成を採用した場合の問題点を説明するための図である。
【００３３】
図に示されるように、透明アクリル板２００および乳白色アクリル板３００と照明用ルーバーユニット１００ａ，１００ｂとの間に、隙間Ｖ１，Ｖ２が生じることとなり、その隙間Ｖ１，Ｖ２から光が漏れ、光の指向性をコントロールすることが難しくなってしまう。このような問題をなくすためには、突出した余分な位置決めピンを組み立て時に切断する必要があり、手間となる。従って、図４〜図１２に示されるように照明用ルーバーユニットの片面にのみ位置決めピンを取り付けることが望ましい。
【００３４】
また、図４〜図１２の例では、位置決めピン１１３、１１７および位置決め穴１１５、１１９を１つの照明用ルーバーユニットに、図４に示すように点対称にそれぞれ１対ずつ設けることとした。このため図１７に示されるように２つの照明用ルーバーユニットにおいては２通りの重ね合わせ方が存在する。
【００３５】
より詳しくは、図１８に示されるように位置決めピン１１３、１１７および位置決め穴１１５、１１９を１つの照明用ルーバーユニットに点対称にそれぞれ１対ずつ設けると、図１９に示されるように１つのルーバーユニット（ア）に対して、（イ）の方向から別のルーバーユニットを重ねる方法と、（ウ）の方向から別のルーバーユニットを重ねる方法とが並存することとなる。
【００３６】
すなわち、（イ）の方向から重ねる場合には、（ア）のルーバーユニットの位置決めピン１１３，１１７のそれぞれに対して、（イ）のルーバーユニットの位置決め穴１１９，１１５が係合し、（ア）のルーバーユニットの位置決め穴１１９，１１５のそれぞれに対して、（イ）のルーバーユニットの位置決めピン１１３，１１７が係合することとなる。
【００３７】
一方、（ウ）の方向から重ねる場合には、（ア）のルーバーユニットの位置決めピン１１３，１１７のそれぞれに対して、（ウ）のルーバーユニットの位置決め穴１１５，１１９が係合し、（ア）のルーバーユニットの位置決め穴１１９，１１５のそれぞれに対して、（ウ）のルーバーユニットの位置決めピン１１７，１１３が係合することとなる。
【００３８】
これにより、２通りの重ね合わせ方が存在することとなる。
なお、上記のように厚さ方向に違う重ね方をした照明用ルーバーユニット同士では、縦横方向に接ぐことができなくなる。従って、図２０に示されるように、１通りの重ね合わせ方のみしかできないようにすることがより好ましい。１通りの重ね合わせ方のみしかできないようにするためには、図２１に示すように位置決めピンおよび位置決め穴の位置が点対称にならないようにそれらを設けるとよい。
【００３９】
より詳しくは、図２１に示されるように位置決めピン１１３、１１７および位置決め穴１１５、１１９を１つの照明用ルーバーユニットに点対称にせずにそれぞれ１対ずつ設けると、図２２に示されるように１つのルーバーユニット（ア）に対して、（イ）のように別のルーバーユニットを重ねる方法しか存在しなくなる。
【００４０】
すなわち、（イ）の方向から重ねる場合には、（ア）のルーバーユニットの位置決めピン１１３，１１７のそれぞれに対して、（イ）のルーバーユニットの位置決め穴１１９，１１５が係合し、（ア）のルーバーユニットの位置決め穴１１９，１１５のそれぞれに対して、（イ）のルーバーユニットの位置決めピン１１３，１１７が係合することとなる。
【００４１】
あるいは、図２３に示されるように、図４〜図１２の状態から位置決め穴を１つずつなくし、位置決めピンおよび位置決め穴の数をそれぞれ１つずつにするとよい。
【００４２】
このような構成を採用することで、図２４に示されるように２つの照明用ルーバーユニットの重ね合わせ方を１通りとすることができる。
【００４３】
すなわち、（イ）の方向から重ねる場合には、（ア）のルーバーユニットの位置決めピン１１３に対して、（イ）のルーバーユニットの位置決め穴１１５が係合し、（ア）のルーバーユニットの位置決め穴１１５に対して、（イ）のルーバーユニットの位置決めピン１１３が係合することとなる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】本発明の実施の形態の１つにおける照明用ルーバーを備えた照明ボックスが用いられる写真シール作成装置の斜視図である。
【図２】写真シール作成装置の撮影空間２の被写体が位置する場所の後背面を示す図である。
【図３】本発明の実施の形態の１つにおける照明用ルーバーを備えた照明ボックスの分解斜視図である。
【図４】１つの照明用ルーバーユニットの斜視図である。
【図５】１つの照明用ルーバーユニットの正面図である。
【図６】１つの照明用ルーバーユニットの背面図である。
【図７】１つの照明用ルーバーユニットの左側面図である。
【図８】１つの照明用ルーバーユニットの右側面図である。
【図９】１つの照明用ルーバーユニットの平面図である。
【図１０】１つの照明用ルーバーユニットの底面図である。
【図１１】図５のＡ−Ａ断面図である。
【図１２】照明用ルーバーユニットを厚さ方向に重ねた状態を示す図である。
【図１３】照明用ルーバーユニットを横方向に接いだ状態を示す図である。
【図１４】照明用ルーバーユニットを縦横方向に接いだ状態を示す図である。
【図１５】照明用ルーバーユニット１００ａ〜１００ｄを厚さ方向に重ね、さらに縦方向にも接いだ状態を示す図である。
【図１６】両面に位置決めピンを設ける構成を採用した場合の問題点を説明するための図である。
【図１７】２つの照明用ルーバーユニットにおける２通りの重ね合わせ方を示す図である。
【図１８】２通りの重ね合わせ方がある照明用ルーバーユニットの斜視図である。
【図１９】２つの照明用ルーバーユニットにおいて２通りの重ね合わせ方が存在する状態を説明するための図である。
【図２０】２つの照明用ルーバーユニットの重ね合わせ方を１通りとした状態を示す図である。
【図２１】１通りの重ね合わせ方しか存在しない照明用ルーバーユニットの斜視図である。
【図２２】２つの照明用ルーバーユニットにおいて１通りの重ね合わせ方しか存在しない状態を説明するための図である。
【図２３】１通りの重ね合わせ方しか存在しない照明用ルーバーユニットの斜視図である。
【図２４】２つの照明用ルーバーユニットにおいて１通りの重ね合わせ方しか存在しない状態を説明するための図である。
【符号の説明】
【００４６】
１００  ルーバー、１００ａ，１００ｂ  ルーバーユニット、１０１  フィン、１０３  周辺リブ、１０５，１０７  位置決め凸部、１０９，１１１  位置決め凹部、１１３，１１７  位置決めピン、１１５，１１９  位置決め穴、２００  透明アクリル板、３００  乳白色アクリル板、４００  アクリル固定金具、５００  照明ボックス本体、６００  ストロボ。
【図１】
0004603964.tif 000002
【図２】
0004603964.tif 000003
【図３】
0004603964.tif 000004
【図４】
0004603964.tif 000005
【図５】
0004603964.tif 000006
【図６】
0004603964.tif 000007
【図７】
0004603964.tif 000008
【図８】
0004603964.tif 000009
【図９】
0004603964.tif 000010
【図１０】
0004603964.tif 000011
【図１１】
0004603964.tif 000012
【図１２】
0004603964.tif 000013
【図１３】
0004603964.tif 000014
【図１４】
0004603964.tif 000015
【図１５】
0004603964.tif 000016
【図１６】
0004603964.tif 000017
【図１７】
0004603964.tif 000018
【図１８】
0004603964.tif 000019
【図１９】
0004603964.tif 000020
【図２０】
0004603964.tif 000021
【図２１】
0004603964.tif 000022
【図２２】
0004603964.tif 000023
【図２３】
0004603964.tif 000024
【図２４】
0004603964.tif 000025